Podtech/llm-jp-corpus-v4-ja_patent huggingface dataset:
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
制御デバイスと、
該制御デバイスに電気的に結合され、一形態のエネルギーを受信して該エネルギーを電位に変換するように構成してあるエネルギーハーベスタと、
自身及びプローブの間で情報が通信され得るように、前記プローブに通信可能に結合されるように構成してある通信要素と
を備えることを特徴とする摂取可能なデバイス。
【請求項２】
前記エネルギーハーベスタは、前記プローブの通電部分からエネルギーを受信するように構成してあることを特徴とする請求項１に記載の摂取可能なデバイス。
【請求項３】
前記通信要素は、前記エネルギーハーベスタ及び前記制御デバイスに電気的に結合される部分電源を備えており、
該部分電源は、前記制御デバイスに電気的に結合される第１の電極と、前記制御デバイスに電気的に結合され、前記第１の電極から電気的に絶縁される第２の電極とを有しており、
前記第１及び第２の電極は、導電性液体と接触する際に、電位を生成するように構成してあることを特徴とする請求項１に記載の摂取可能なデバイス。
【請求項４】
前記通信要素は、前記プローブの検出部分へ情報を通信するように構成してあることを特徴とする請求項１に記載の摂取可能なデバイス。
【請求項５】
前記通信要素は、該通信要素及び前記プロ−ブの間の容量結合によって信号を送ることにより、前記プローブの検出部分へ情報を通信するように構成してあることを特徴とする請求項４に記載の摂取可能なデバイス。
【請求項６】
前記第１及び第２の電極は、異なる材料で作られていることを特徴とする請求項３に記載の摂取可能なデバイス。
【請求項７】
摂取可能なデバイス、及び、プローブを備えており、
前記摂取可能なデバイスは、制御デバイスと、該制御デバイスに電気的に結合され、一形態のエネルギーを受信して該エネルギーを電位に変換するように構成してあるエネルギーハーベスタと、前記制御デバイスに結合される通信要素とを有し、
前記プローブは、前記エネルギーハーベスタを介して前記制御デバイスを通電するように構成してあるエネルギー源と、前記通信要素及び前記プローブの間で情報が通信され得るように、前記通信要素に通信可能に結合されるように構成してある回路とを有する
ことを特徴とするシステム。
【請求項８】
前記エネルギーハーベスタは、前記プローブの前記エネルギー源からエネルギーを受信するように構成してあることを特徴とする請求項７に記載のシステム。
【請求項９】
前記通信要素は、前記エネルギーハーベスタ及び前記制御デバイスに電気的に結合される部分電源を備えており、
該部分電源は、前記制御デバイスに電気的に結合される第１の電極と、前記制御デバイスに電気的に結合され、前記第１の電極から電気的に絶縁される第２の電極とを有しており、
前記第１及び第２の電極は、導電性液体と接触する際に、電位を生成するように構成してあることを特徴とする請求項７に記載のシステム。
【請求項１０】
前記回路は、前記通信要素及び前記プローブの間で情報を通信するために、前記第１及び第２の電極に容量結合されるように構成してある第１及び第２のプレートを備えることを特徴とする請求項９に記載のシステム。
【請求項１１】
前記第１及び第２のプレートに電気的に結合する感知増幅器を更に備えることを特徴とする請求項１０に記載のシステム。
【請求項１２】
前記検知増幅器に通信可能に結合するコンピュータシステムを更に備えることを特徴とする請求項１１に記載のシステム。
【請求項１３】
前記第１及び第２の電極は、該第１及び第２の電極並びに前記第１及び第２のプレートの間の容量結合によって信号を送ることにより、前記プローブの回路部分へ情報を通信するように構成してあることを特徴とする請求項１０に記載のシステム。
【請求項１４】
前記第１及び第２の電極は、異なる材料で作られていることを特徴とする請求項９に記載のシステム。
【請求項１５】
エネルギーハーベスタを介してプローブから摂取可能なデバイスへエネルギーを供給することにより、前記摂取可能なデバイスに通電し、
該通電に応じた前記摂取可能なデバイス及び前記プローブの間の容量結合により信号を送る
ことを特徴とする方法。
【請求項１６】
前記摂取可能なデバイスを、前記プローブの前記第１及び第２のプレートの間に導入することを特徴とする請求項１５に記載の方法。
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
歯科用アセンブリの製造方法であって、
圧縮性材料を歯科用物品の外側ベース面と接触させて配置する工程と、
第１の分量の未硬化歯科用組成物を前記圧縮性材料と前記外側ベース面の少なくとも一方に、前記未硬化歯科用組成物の少なくとも一部分が、前記外側ベース面と前記圧縮性材料との間に配置されるように塗布する工程と、
前記圧縮性材料を前記外側ベース面に固定するために、前記第１の分量の歯科用組成物の少なくとも一部分を硬化させる工程であり、前記外側ベース面の前記少なくとも一部分が、硬化した前記歯科用組成物に接していない、硬化させる工程と、第２の分量の未硬化歯科用組成物を前記圧縮性材料に塗布する工程であり、前記第２の分量が、前記外側ベース面に垂直な方向から見たときに前記第１の分量を少なくとも部分的に取り囲むようにする、塗布する工程と、
を含む方法。
【請求項２】
歯科用アセンブリの製造方法であって、
歯に固着するように適応された外側ベース面を有する歯科用物品を準備する工程と、
第１の分量の未硬化歯科用組成物を、前記外側ベース面の全体より小さい前記外側ベース面の一部分に塗布する工程と、
圧縮性材料を前記第１の分量並びに前記外側ベース面と接触させて配置する工程と、
前記第１の分量を硬化させて前記圧縮性材料を前記歯科用物品に固定する工程と、
第２の分量の未硬化歯科用組成物を前記圧縮性材料に塗布して、前記外側ベース面に垂直な方向から見たときに、前記第２の分量が、前記第１の分量を少なくとも部分的に取り囲む工程と、
を含む方法。
【請求項３】
歯科用アセンブリであって、
歯に固着するように適応された外側ベース面を有する歯科用物品と、
前記外側ベース面の少なくとも一部分と接触して拡がる圧縮性材料と、
前記圧縮性材料に吸収され、前記外側ベース面の全体より小さい前記外側ベース面の一部分と接触する硬化歯科用組成物と、
前記圧縮性材料に吸収され、前記外側ベース面に垂直な方向から見たときに前記硬化歯科用組成物を少なくとも部分的に取り囲む未硬化歯科用組成物と、を含む、歯科用アセンブリ。
【請求項４】
前記硬化歯科用組成物が、前記外側ベース面の全面積に対して前記外側ベース面の約２パーセント〜３０パーセントに亘って拡がる、請求項３に記載のアセンブリ。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
患者監視システムであって、
患者の生理的状態を監視する少なくとも１つの監視ユニットと、
前記少なくとも１つの監視ユニットから生理的状態データを無線受信するためのアクセスポイントのネットワークを含むホストシステムとを有し、
前記少なくとも１つの監視ユニットが、この監視ユニットの次のデータ通信の予想される時間点に関する情報を含む時間関連データと共に、選択された時間点での前記生理的状態に関連付けられるデータを前記アクセスポイントの少なくとも１つに送信するよう構成され、
前記ホストシステムが、前記個別の監視ユニットから追加的な生理的状態データの受信なしにデータ通信の予想される時間点の経過後、遅延時間分遅延されるアラーム信号を出力するよう構成され、
前記遅延時間が、前記患者の少なくとも１つの生理的パラメータの少なくとも１つの測定間隔に基づかれる遅延時間、又は、前記患者の現在の生理的状態に基づかれる遅延時間である、
患者監視システム。
【請求項２】
前記ホストシステムが、前記個別の監視ユニットから追加的な生理的状態データの受信なしにデータ通信の予想される時間点後の経過時間と共に増加する強度のアラーム信号を出力するよう構成される、請求項１に記載の患者監視システム。
【請求項３】
前記少なくとも１つの監視ユニットが、生理的状態データと、前記生理的状態データの測定の直後の前記時間関連データとを共に送信するよう構成される、請求項１又は２に記載の患者監視システム。
【請求項４】
前記次のデータ通信の予想された時間点が、前記個別の監視ユニットにより決定される、請求項１乃至３の一項に記載の患者監視システム。
【請求項５】
各アクセスポイントが、前記少なくとも１つの監視ユニットに対してデータを送信するよう構成され、前記ホストシステムは、前記少なくとも１つの監視ユニットに対して前記次のデータ通信の予想された時間点を決定し、及びこれを通信するよう構成される、請求項１乃至４のいずれかに記載の患者監視システム。
【請求項６】
前記少なくとも１つの監視ユニットが、この監視ユニットのバッテリー残量を示すデータを、前記生理的状態データ及び時間関連データと独立して、及び／又は、共に送信するよう構成される、請求項１乃至５の一項に記載の患者監視システム。
【請求項７】
前記ホストシステムが、外部監視システムに状態情報を提出するよう構成される、請求項１乃至６の一項に記載の患者監視システム。
【請求項８】
前記ホストシステムが、前記少なくとも１つの監視ユニットの状態情報を表示するディスプレイを有する、請求項１乃至７の一項に記載の患者監視システム。
【請求項９】
患者の生理的状態を監視する方法において、
監視ユニットを用いて患者の生理的状態データを測定するステップと、
この監視ユニットの次のデータ通信の予想される時間点に関する情報を含む時間関連データと共に、前記測定された生理的状態データをアクセスポイントに送信するステップと、
前記個別の監視ユニットから追加的な生理的状態データを受信することなしに、データ通信の予想される時間点の経過後に遅延時間だけ遅延されるアラーム信号を出力するステップであって、前記遅延時間が、前記患者の少なくとも１つの生理的パラメータの少なくとも１つの測定間隔に基づかれる遅延時間、又は、前記患者の現在の生理的状態に基づかれる遅延時間である、出力するステップと、
を有する、方法。
【請求項１０】
前記個別の監視ユニットから追加的な生理的状態データを受信することなしにデータ通信の予想される時間点後経過した時間と共に増加する強度のアラーム信号を出力するステップを更に有する、請求項９に記載の方法。
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
免疫療法組成物であって、
ａ）酵母ビヒクル、および
ｂ）ＨＢＶ抗原を含む融合タンパク質であって、前記ＨＢＶ抗原は、
ｉ）配列番号１３０の１位〜６０位と少なくとも９０％同一であるアミノ酸配列を有するＨＢＶ  Ｘ抗原と、
ｉｉ）配列番号１３０の６３位〜４６１位と少なくとも９０％同一であるアミノ酸配列を有するＨＢＶ表面抗原と、
ｉｉｉ）配列番号１３０の４６２位〜６４３位と少なくとも９０％同一であるアミノ酸配列を有するＨＢＶコア抗原とからなる融合タンパク質
を含み、
前記組成物はＨＢＶ特異的免疫応答を誘発し、前記融合タンパク質は酵母ビヒクルによって発現される、免疫療法組成物。
【請求項２】
ＨＢＶ抗原は、融合タンパク質中においてＮ末端からＣ末端へ以下すなわち：ＨＢＶ  Ｘ抗原、ＨＢＶ表面抗原、ＨＢＶコア抗原、の順序に配置されている、請求項１に記載の免疫療法組成物。
【請求項３】
ＨＢＶ抗原は、配列番号１３０と少なくとも９０％同一であるアミノ酸配列からなる、請求項１に記載の免疫療法組成物。
【請求項４】
融合タンパク質は、配列番号１３０のアミノ酸配列を含む、請求項１に記載の免疫療法組成物。
【請求項５】
融合タンパク質は、配列番号１５０のアミノ酸配列を含む、請求項１に記載の免疫療法組成物。
【請求項６】
融合タンパク質は、配列番号１５０のアミノ酸配列からなる、請求項１に記載の免疫療法組成物。
【請求項７】
ＨＢＶ  Ｘ抗原のアミノ酸配列が配列番号１３０の１位〜６０位からなる、請求項１に記載の免疫療法組成物。
【請求項８】
ＨＢＶ表面抗原のアミノ酸配列が配列番号１３０の６３位〜４６１位からなる、請求項１に記載の免疫療法組成物。
【請求項９】
ＨＢＶコア抗原のアミノ酸配列が配列番号１３０の４６２位〜６４３位からなる、請求項１に記載の免疫療法組成物。
【請求項１０】
酵母ビヒクルはサッカロマイセス・セレビシエ（Saccharomyces cerevisiae）に由来する、請求項１に記載の免疫療法組成物。
【請求項１１】
酵母ビヒクルは全酵母である、請求項１に記載の免疫療法組成物。
【請求項１２】
全酵母は加熱不活性化される、請求項１１に記載の免疫療法組成物。
【請求項１３】
全酵母は殺処理される、請求項１１に記載の免疫療法組成物。
【請求項１４】
全酵母は凍結乾燥されたものである、請求項１２に記載の免疫療法組成物。
【請求項１５】
酵母ビヒクルはサッカロマイセス・セレビシエ（Saccharomyces cerevisiae）に由来する、請求項１１に記載の免疫療法組成物。
【請求項１６】
薬学的に許容される賦形剤を含む、請求項１に記載の免疫療法組成物。
【請求項１７】
ＨＢＶ抗原を含む融合タンパク質を発現する酵母であって、前記ＨＢＶ抗原は、
ａ）配列番号１３０の１位〜６０位と少なくとも９０％同一であるアミノ酸配列を有するＨＢＶ  Ｘ抗原と、
ｂ）配列番号１３０の６３位〜４６１位と少なくとも９０％同一であるアミノ酸配列を有するＨＢＶ表面抗原と、
ｃ）配列番号１３０の４６２位〜６４３位と少なくとも９０％同一であるアミノ酸配列を有するＨＢＶコア抗原とからなる、酵母。
【請求項１８】
ＨＢＶ  Ｘ抗原のアミノ酸配列が配列番号１３０の１位〜６０位からなる、請求項１７に記載の酵母。
【請求項１９】
ＨＢＶ表面抗原のアミノ酸配列が配列番号１３０の６３位〜４６１位からなる、請求項１７に記載の酵母。
【請求項２０】
ＨＢＶコア抗原のアミノ酸配列が配列番号１３０の４６２位〜６４３位からなる、請求項１７に記載の酵母。
【請求項２１】
ＨＢＶ抗原が配列番号１３０と少なくとも９０％同一であるアミノ酸配列からなる、請求項１７に記載の酵母。
【請求項２２】
融合タンパク質が配列番号１５０のアミノ酸配列からなる、請求項１７に記載の酵母。
【請求項２３】
酵母がサッカロマイセス・セレビシエ（Saccharomyces cerevisiae）に由来する、請求項１７に記載の酵母。
【請求項２４】
ＨＢＶ抗原を含む融合タンパク質であって、配列番号１３０または配列番号１５０のアミノ酸配列と少なくとも９０％同一であるアミノ酸配列を含む、融合タンパク質。
【請求項２５】
配列番号１３０と少なくとも９０％同一であるアミノ酸配列を含む、請求項２４に記載の融合タンパク質。
【請求項２６】
配列番号１５０と少なくとも９０％同一であるアミノ酸配列を含む、請求項２４に記載の融合タンパク質。
【請求項２７】
配列番号１５０のアミノ酸配列からなる、請求項２４に記載の融合タンパク質。
【手続補正２】
【補正対象書類名】明細書
【補正対象項目名】発明の名称
【補正方法】変更
【補正の内容】
【発明の名称】慢性Ｂ型肝炎感染症のための酵母系免疫療法組成物
【手続補正書】
【提出日】平成26年11月28日(2014.11.28)
【手続補正１】
【補正対象書類名】明細書
【補正対象項目名】０１０２
【補正方法】変更
【補正の内容】
【０１０２】
最後に、この装置は、外部ソース１０１８からのパワー（たとえば電源電力）を受けこれをこの装置内の構成要素のためのＤＣ電源信号Ｖ１〜Ｖ６に変換する電源部１０１７を含む。よって、ユーザインターフェイスはパワー信号Ｖ１を受け、マイクロプロセッサ１１０はパワー信号Ｖ２を受け、ＲＦ列１０２はパワー信号Ｖ３を受け、マイクロ波列はパワー信号Ｖ４を受け、信号調節汎用インターフェイス回路１０８はパワー信号Ｖ５を受け、監視部１０１５はパワー信号Ｖ６を受ける。
【手続補正２】
【補正対象書類名】明細書
【補正対象項目名】０１４０
【補正方法】変更
【補正の内容】
【０１４０】
同様に、可変インダクタ２０４は、キャパシタ列２０１の遠位端にある変圧器１７５の二次コイルに対して並列（シャント）接続される。この例において、可変インダクタ２０
４は、独立してこのチャネルに切換えるまたはこのチャネルから切換えることができる複数（この場合は４つ）のインダクタ２０６を含む。各インダクタ２０６は関連するバイパススイッチ２０８を有し、これにより、対応する巻線２０６の始点および終点を短絡させるまたはバイパスすることができる。バイパススイッチ２０８は、コントローラ１０６からのそれぞれの制御信号Ｃ５〜Ｃ８によって機能する。インダクタ２０６は異なるインダクタンスを有してもよい。たとえば、システムを整合させることができる可能な負荷インピーダンスにできる限り大きな変動を与えるために、すなわちスミスチャートをできる限りカバーするために、バイナリシーケンスで配置された１×、２×、４×および８×ベースインダクタンスとして配置してもよい。
【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
支柱部材及び固定部材を備える略フィン状の受け部材が設けられたハウジングを含み、
前記支柱部材が前記ハウジングから延び、且つ、前記固定部材が前記支柱部材の両側面を超えて延びることで、前記略フィン状の受け部材が形成され、
前記略フィン状の受け部材は、ユーザ操作可能手術装置に取り外し可能に固定されるように構成され且つ寸法決めされる、外科的処置に用いられるアセンブリ。
【請求項２】
前記ハウジングに対して装着された画像生成部材を更に含む、請求項１に記載のアセンブリ。
【請求項３】
前記画像生成部材は超音波振動子である、請求項２に記載のアセンブリ。
【請求項４】
前記受け部材は、前記ハウジングの基部端に、又は基部端の近くに配置される、請求項１に記載のアセンブリ。
【請求項５】
前記ユーザ操作可能手術装置は、第１及び第２の先端作動体を含み、前記第１の先端作動体は第１スリットを有し、前記第２の先端作動体は第２スリットを有し、
前記固定部材は、第１側面及び第２側面を有し、
前記ユーザ操作可能手術装置が取り外し可能に前記受け部材に固定されたときに、前記固定部材の第１側面の少なくとも一部は、前記第１スリット内に延び、前記固定部材の第２側面の少なくとも一部は、前記第２スリット内に延びる、請求項１に記載のアセンブリ。
【請求項６】
前記受け部材は、前記ハウジングと一体に形成される、請求項１に記載のアセンブリ。
【請求項７】
前記固定部材が第１端部及び第２端部を有し、前記支柱部材が長手方向軸線を画定し、
前記固定部材が前記第１端部から前記第２端部に向かって先細になり、当該固定部材の第１端部は、当該固定部材の第２端部が前記長手方向軸線から先に延びる距離よりも大きい距離で、前記長手方向軸線から先に延びる、請求項１に記載のアセンブリ。
【請求項８】
前記支柱部材は、第１端部及び第２端部を有し、前記支柱部材が前記第１端部から前記第２端部に向かって先細になり、第１端部は第２端部より幅広である、請求項１に記載のアセンブリ。
【請求項９】
前記受け部材の少なくとも一部は、前記ハウジング内に格納可能である、請求項１に記載のアセンブリ。
【請求項１０】
前記受け部材の少なくとも一部は、前記ハウジングに対して折り畳み収納可能である、請求項１に記載のアセンブリ。
【請求項１１】
前記ハウジングは可撓ケーブルに対して装着され、
前記画像生成部材は、手術部位の画像を取り込むように構成され且つ寸法決めされる、請求項２に記載のアセンブリ。
【請求項１２】
前記ユーザ操作可能手術装置は低侵襲性のユーザ操作可能手術装置であり、
前記ハウジング及び前記受け部材は、（i）患者の低侵襲切開部に配置されたガイド器具を通って挿入され、更に、（ii）前記低侵襲性のユーザ操作可能手術装置によって患者内の手術部位まで移動されるように構成され且つ寸法決めされる、請求項１に記載のアセンブリ。
【請求項１３】
前記ユーザ操作可能手術装置は、第１及び第２の先端作動体を含み、
前記支柱部材は第１側面及び第２側面を有し、
前記ユーザ操作可能手術装置が前記受け部材に取り外し可能に固定されたときに、前記支柱部材の第１側面の少なくとも一部は、前記第１の先端作動体の少なくとも一部に隣接し、前記支柱部材の第２側面の少なくとも一部は、前記第２の先端作動体の少なくとも一部に隣接し、更に、前記第１及び第２の先端作動体の少なくとも一部は、前記固定部材の下に配置される、請求項１に記載のアセンブリ。
【請求項１４】
前記支柱部材が第２側面及び第２側面を有し、前記第１及び第２側面は、それぞれ溝加工表面又はテクスチャ加工表面を有する、請求項１に記載のアセンブリ。
【請求項１５】
前記支柱部材が第１側面及び第２側面を有し、前記第１及び第２側面は、それぞれ突起又は延長部材を有し、
前記ユーザ操作可能手術装置は、第１及び第２の先端作動体を有し、前記第１及び第２の各先端作動体は、窪み又は凹部を有し、
前記ユーザ操作可能手術装置が前記受け部材に取り外し可能に固定されたときに、前記支柱部材の第１側面の突起又は延長部材の少なくとも一部は、前記第１の先端作動体の窪み又は凹部の少なくとも一部の中に配置され、前記支柱部材の第２側面の突起又は延長部材の少なくとも一部は、前記第２の先端作動体の窪み又は凹部の少なくとも一部の中に配置される、請求項１に記載のアセンブリ。
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
植物の成長を増進するか、植物の健康を促進するか、又は植物の病害を防除するために植物を処理する方法であって、前記方法は、ｓｗｒＡオルソログに突然変異を有する胞子形成細菌細胞を含む組成物であって、前記突然変異が、前記突然変異を有していない同質遺伝子系統の細菌細胞と比較して前記細菌細胞の遊走能力を低下させ、前記細菌細胞の少なくとも約７０％が胞子である組成物を、前記植物に、前記植物の一部に、及び／又は前記植物の部位に適用することを含む方法。
【請求項２】
前記突然変異を有する前記胞子形成細菌細胞が、Bacillus subtilisクレード内のバチルス種に由来する、請求項１に記載の方法。
【請求項３】
前記オルソログが、配列番号１及び５〜１０で表されるｓｗｒＡヌクレオチド配列のいずれか１つに対して少なくとも約９０％の同一性を有する、請求項１又は２に記載の方法。
【請求項４】
前記突然変異が、配列番号１で表されるｓｗｒＡ遺伝子の２６位〜３４位のうち１つ又は複数に対応する位置、又は配列番号１で表されるｓｗｒＡ遺伝子の１位〜３位のうち１つ又は複数に対応する位置にある、請求項１〜３のいずれか１項に記載の方法。
【請求項５】
前記突然変異が、挿入又は欠失である、請求項１〜４のいずれか１項に記載の方法。
【請求項６】
前記方法が、前記組成物を土壌に適用することを含む、請求項１〜５のいずれか１項に記載の方法。
【請求項７】
前記組成物が、前記植物又は植物の一部が前記土壌に接触する前、接触する間、又は接触した後に適用される、請求項６に記載の方法。
【請求項８】
前記植物の一部が、種子、根、球茎、塊茎、球根及び根茎からなる群から選択される、請求項１〜７のいずれか１項に記載の方法。
【請求項９】
植物の成長を増進する、植物の健康を促進する、又は植物の病害又は害虫を防除するための、ｓｗｒＡオルソログに突然変異を有する胞子形成細菌細胞の使用であって、前記突然変異が、前記突然変異を有していない同質遺伝子系統の細菌細胞と比較して前記細菌細胞の遊走能力を低下させるものである、使用。
【請求項１０】
前記細菌細胞が、Bacillus subtilisクレード内のバチルス種に由来する、請求項９に記載の使用。
【請求項１１】
前記種が、B. pumilus、B. atrophaeus、B. amyloliquefaciens、B. subtilis及びB. licheniformisからなる群から選択される、請求項２に記載の方法、又は請求項１０に記載の使用。
【請求項１２】
前記種が、B. subtilis又はB. amyloliquefaciensである、請求項１１に記載の方法、又は使用。
【請求項１３】
前記突然変異が、配列番号１で表されるｓｗｒＡ遺伝子の２６位〜３４位のうち１つ又は複数に対応する位置で、又は配列番号１で表されるｓｗｒＡ遺伝子の１位〜３位のうち１つ又は複数に対応する位置で生じている、請求項１〜１２のいずれか１項に記載の方法、又は使用。
【請求項１４】
受託番号NRRL B-50420として寄託されたBacillus subtilis ＱＳＴ７１３のｓｗｒＡ−細胞であって、開始コドンに少なくとも１つの核酸塩基対の変異、及び／又はｓｗｒＡ遺伝子に少なくとも１つの核酸塩基対の挿入若しくは欠失を含み、前記細胞は同質遺伝子系統の野生型細胞と比較して前記細菌細胞の遊走能力が低下している細胞。
【請求項１５】
前記ｓｗｒＡ遺伝子の前記挿入又は欠失が、配列番号１の２６位〜３４位にある塩基対の１つ又は複数で生じている、請求項１４に記載のｓｗｒＡ−細胞。
【請求項１６】
それぞれ受託番号NRRL B-50421及びNRRL B-50455で寄託された株ＡＱ３０００２（別名ＱＳＴ３０００２）及び株ＡＱ３０００４（別名ＱＳＴ３０００４）からなる群から選択される、請求項１４又は１５に記載のｓｗｒＡ−細胞。
【請求項１７】
請求項１４〜１６のいずれか１項に記載のｓｗｒＡ−細胞を含む組成物。
【請求項１８】
前記組成物が、前記ｓｗｒＡ−細胞に加えて、除草剤、殺カビ剤、殺菌剤、殺虫剤、殺センチュウ剤、殺ダニ剤、植物成長調整剤、植物成長刺激剤及び肥料からなる群から選択される、少なくとも１つの他の活性成分をさらに含む、請求項１７に記載の組成物。
【請求項１９】
前記方法は、請求項１４〜１６のいずれか１項に記載の前記ｓｗｒＡ−細胞、又は請求項１７若しくは１８に記載の組成物を、前記植物に、前記植物の一部に、及び／又は前記植物の部位に適用することを含む、請求項１〜８、及び１０〜１３のいずれか１項に記載の方法。
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
溶媒において成分を醸造するためのシステムであって、
溶媒の電子伝導率の変化を測定するための第１のユニットと、
成分が溶媒から分離されるべきことを示す信号を生成するために、前記電子伝導率の変化を予め決められた閾値と比較するための第２のユニットとを有し、
前記第１のユニットが、前記第１のユニットによる測定時間と前回の測定時間との間の差分に対する、前記第１のユニットによる測定時間での溶媒の電子伝導率と前記第１のユニットによる前回の測定時間での溶媒の電子伝導率との間の差分の割合として規定される、電子伝導率の変化を測定するように適合される、システム。
【請求項２】
前記前回の測定時間は、前記醸造の動作の開始時間である、請求項１に記載のシステム。
【請求項３】
前記信号の生成により、溶媒から成分を分離するための、前記第２のユニットに接続されたシステムを更に有する、請求項１−２のうちいずれか一項に記載のシステム。
【請求項４】
前記第１のユニットが、溶媒の電子伝導率の後の変化を測定するように更に適合され、
前記電子伝導率の後の変化が、溶媒から成分を分離する時間での溶媒の電子伝導率と後の時間での溶媒の電子伝導率との間の差分として規定され、
前記第２のユニットが、溶媒の質を反映する溶媒の特性が変化したことを示す信号を生成するために、前記電子伝導率の後の変化を追加の予め決められた閾値と比較するように更に適合される、請求項３に記載のシステム。
【請求項５】
前記電子伝導率の変化と前記予め決められた閾値との間の割合に基づいて、醸造動作の進行を反映する信号を生成するように適合される第３のユニットを更に有する、請求項１−２のうちいずれか一項に記載のシステム。
【請求項６】
溶媒において成分を醸造するにより飲料を調製するための装置であって、
請求項１−５のうちいずれか一項に記載のシステムと、
複数の閾値を格納するためのメモリであって、各閾値が所与のタイプの成分に関連付けられる、メモリと、
醸造されるべき成分のタイプを選択するための手段と、
前記予め決められた閾値を、選択されたタイプの成分に関連付けられた閾値の値に設定するための手段とを有する、装置。
【請求項７】
溶媒において成分を醸造することにより飲料を調製するための装置であって、
請求項１−５のうちいずれか一項に記載のシステムと、
各々が調製されるべき飲料の異なる特性を反映する複数の閾値を格納するためのメモリと、
調製されるべき飲料の特性を選択するための手段と、
前記予め決められた閾値を、選択された特性に関連付けられた閾値の値に設定するための手段とを有する、装置。
【請求項８】
溶媒において成分を醸造することにより飲料を調製するための装置であって、
第１のユニットによる測定時間での溶媒の電子伝導率と醸造動作の開始時間での溶媒の電子伝導率との間の差分として規定される、溶媒の電子伝導率の変化を測定するための第１のユニットと、
前記電子伝導率の変化をメモリに格納するための手段とを有し、
前記変化は、成分が溶媒から分離されるべきことを示す信号を生成するために、同じ成分の次の醸造の間において、溶媒の電子伝導率の変化と比較されることを意図する、装置。
【請求項９】
溶媒において成分を醸造する方法であって、
溶媒の電子伝導率の変化を測定するステップと、
成分が溶媒から分離されるべきことを示す信号を生成するために、電子伝導率の変化を予め決められた閾値と比較するステップと、
前記信号に基づいて、溶媒から成分を分離するステップと、
溶媒から成分を分離するステップの後に、溶媒の電子伝導率の後の変化を測定するステップであって、電子伝導率の後の変化は、溶媒から成分を分離する時間での溶媒の電子伝導率と後の時間での溶媒の電子伝導率との間の差分として規定される、ステップと、
溶媒の質を反映する溶媒の特性が変化したことを示す信号を生成するために、電子伝導率の後の変化を追加の予め決められた閾値と比較するステップと、を有する、方法。
【請求項１０】
溶媒において成分を醸造することにより飲料を調製する方法であって、
醸造されるべき成分のタイプを選択するステップと、
選択されたタイプの成分を溶媒に入れるステップと、
溶媒の電子伝導率の変化を測定するステップと、
成分が溶媒から分離されるべきであることを示す信号を生成するために、電子伝導率の変化を、選択されたタイプの成分に関連付けられた予め決められた閾値と比較するステップと、
前記信号に基づいて、溶媒から成分を分離するステップとを有する、方法。
【請求項１１】
溶媒において成分を醸造することにより飲料を調製する方法であって、
醸造されるべき飲料の特性を選択するステップと、
成分を溶媒に入れるステップと、
溶媒の電子伝導率の変化を測定するステップと、
成分が溶媒から分離されるべきであることを示す信号を生成するために、電子伝導率の変化を、選択された特性に関連付けられた予め決められた閾値と比較するステップと、
前記信号に基づいて、溶媒から成分を分離するステップとを有する、方法。
【請求項１２】
溶媒において成分を醸造することにより飲料を調製する方法であって、
所与のタイプの成分を溶媒に入れるステップと、
測定時間での溶媒の電子伝導率と醸造動作の開始時間での溶媒の電子伝導率との間の差分として規定される、溶媒の電子伝導率の変化を測定するステップと、
電子伝導率の変化をメモリに格納するステップと、
同じタイプの成分の次の醸造の間、成分が溶媒から分離されるべきであることを示す信号を生成するために、前記変化を、溶媒の電子伝導率の変化と比較するステップと、
前記信号に基づいて、溶媒から成分を分離するステップとを有する、方法。
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
心臓障害を治療するための、ｍｉＲ−２０８ａおよび／またはｍｉＲ−２０８ｂを標的とする化学修飾アンチセンスオリゴヌクレオチドの有効性を評価またはモニターする方法であって、
前記アンチセンスオリゴヌクレオチドを受けた患者からの生物学的サンプル中のｍｉＲＮＡのパネル中の少なくとも１種のｍｉＲＮＡのレベルを測定する工程であって、前記ｍｉＲＮＡのパネルが、表２〜４のいずれかに列挙されたｍｉＲＮＡの１種以上を含む、工程、および
測定されたレベルを、あらかじめ決められた参照レベルまたはコントロールサンプル中のｍｉＲＮＡのレベルと比較する工程であって、前記比較が、前記アンチセンスオリゴヌクレオチドの治療有効性の指標となる、工程、
を含む、方法。
【請求項２】
前記生物学的サンプルが血漿、血清または心臓組織である、請求項１に記載の方法。
【請求項３】
前記比較が、前記あらかじめ決められた参照レベルまたは前記コントロールサンプル中のｍｉＲＮＡのレベルに対するｍｉＲＮＡの測定されたレベルの減少である、請求項１に記載の方法。
【請求項４】
前記少なくとも１種のｍｉＲＮＡが、ｈｓａ−ｍｉＲ−１６、ｈｓａ−ｍｉＲ−３２０、ｈｓａ−ｍｉＲ−２２３、ｈｓａ−ｍｉＲ−９３、ｈｓａ−ｍｉＲ−１０６ｂ、ｈｓａ−ｍｉＲ−４２３−５ｐ、ｈｓａ−ｍｉＲ−１８５、ｈｓａ−ｍｉＲ−９２ａ、ｈｓａ−ｍｉＲ−２１０、ｈｓａ−ｍｉＲ−１４０、ｈｓａ−ｍｉＲ−２７ａ、ｈｓａ−ｍｉＲ−２０ｂ、ｈｓａ−ｍｉＲ−１５０、ｈｓａ−ｍｉＲ−２０ａ、ｈｓａ−ｍｉＲ−３７８、ｈｓａ−ｍｉＲ−２２、ｈｓａ−ｍｉＲ−２１、ｈｓａ−ｍｉＲ−３７８＊、ｈｓａ−ｍｉＲ−１２２、ｈｓａ−ｍｉＲ−１２６、ｈｓａ−ｍｉＲ−１３３ａ、およびｈｓａ−ｍｉＲ−４９９から選択される、請求項３に記載の方法。
【請求項５】
前記比較が、前記あらかじめ決められた参照レベルまたは前記コントロールサンプル中のｍｉＲＮＡのレベルに対するｍｉＲＮＡの測定されたレベルの増加である、請求項１に記載の方法。
【請求項６】
前記少なくとも１種のｍｉＲＮＡが、ｈｓａ−ｍｉＲ−１９ｂ、ｈｓａ−ｍｉＲ−１９９ｂ−５ｐ、ｈｓａ−ｍｉＲ−２０４、ｈｓａ−ｍｉＲ−１４５、ｈｓａ−ｍｉＲ−１９５、ｈｓａ−ｍｉＲ−１２５ａ−５ｐ、ｈｓａ−ｍｉＲ−１４３、およびｈｓａ−ｍｉＲ−２１４から選択される、請求項５に記載の方法。
【請求項７】
前記少なくとも１種のｍｉＲＮＡが、ｍｉＲ−１９ｂ、ｍｉＲ−２２３、ｍｉＲ−４２３−５ｐ、ｍｉＲ−１０６ｂ、ｍｉＲ−１６、ｍｉＲ−９２ａ、ｍｉＲ−３７８、ｍｉＲ−２１０、ｍｉＲ−３７８＊、ｍｉＲ−２０ｂ、およびｍｉＲ−９３から選択される、請求項１に記載の方法。
【請求項８】
前記比較が、心臓組織中のｍｉＲ−２０８ａおよび／またはｍｉＲ−２０８ｂの発現の減少の指標となる、請求項１に記載の方法。
【請求項９】
前記心臓障害が、心筋梗塞、病的心肥大、心不全、または高血圧である、請求項１に記載の方法。
【請求項１０】
前記生物学的サンプルが、前記アンチセンスオリゴヌクレオチドの投与の少なくとも１週間後に患者から取得される、請求項１に記載の方法。
【請求項１１】
前記比較に基づいて前記アンチセンスオリゴヌクレオチドの投与の用量または頻度を変更する工程をさらに含む、請求項１に記載の方法。
【請求項１２】
患者において心臓障害を治療するための、ｍｉＲ−２０８ａおよび／またはｍｉＲ−２０８ｂを標的とする化学修飾アンチセンスオリゴヌクレオチドの有効性を評価またはモニターするためのキットであって、
前記アンチセンスオリゴヌクレオチドを受けた患者からの生物学的サンプル中の、表２〜４のいずれか１つから選択された１種以上のｍｉＲＮＡに対する、逆転写、増幅および／またはハイブリダイズのための、ｍｉＲＮＡ特異的プライマーおよび／またはプローブを含むキット。
【請求項１３】
前記キットが、ｈｓａ−ｍｉＲ−１６、ｈｓａ−ｍｉＲ−３２０、ｈｓａ−ｍｉＲ−２２３、ｈｓａ−ｍｉＲ−９３、ｈｓａ−ｍｉＲ−１０６ｂ、ｈｓａ−ｍｉＲ−４２３−５ｐ、ｈｓａ−ｍｉＲ−１８５、ｈｓａ−ｍｉＲ−９２ａ、ｈｓａ−ｍｉＲ−２１０、ｈｓａ−ｍｉＲ−１４０、ｈｓａ−ｍｉＲ−２７ａ、ｈｓａ−ｍｉＲ−２０ｂ、ｈｓａ−ｍｉＲ−１５０、ｈｓａ−ｍｉＲ−２０ａ、ｈｓａ−ｍｉＲ−３７８、ｈｓａ−ｍｉＲ−２２、ｈｓａ−ｍｉＲ−２１、ｈｓａ−ｍｉＲ−３７８＊、ｈｓａ−ｍｉＲ−１２２、ｈｓａ−ｍｉＲ−１２６、ｈｓａ−ｍｉＲ−１３３ａ、ｈｓａ−ｍｉＲ−４９９、ｈｓａ−ｍｉＲ−１９ｂ、ｈｓａ−ｍｉＲ−１９９ｂ−５ｐ、ｈｓａ−ｍｉＲ−２０４、ｈｓａ−ｍｉＲ−１４５、ｈｓａ−ｍｉＲ−１９５、ｈｓａ−ｍｉＲ−１２５ａ−５ｐ、ｈｓａ−ｍｉＲ−１４３、およびｈｓａ−ｍｉＲ−２１４から選択される少なくとも１つのｍｉＲＮＡのためのｍｉＲＮＡ特異的プライマーを含む、請求項１２に記載のキット。
【請求項１４】
標準化コントロールをさらに含む、請求項１２に記載のキットであって、前記標準化コントロールが、非内因性のＲＮＡもしくはｍｉＲＮＡまたは前記サンプル中で発現されないｍｉＲＮＡである、キット。
【請求項１５】
前記標準化コントロールが、ｃｅｌ−ｍｉＲ−２、ｃｅｌ−ｌｉｎ−４、またはａｔｈ−ｍｉＲ−１５９ａである、請求項１４に記載のキット。
【請求項１６】
ｍｉＲＮＡを検出するためのプローブが、一本鎖分子、一本鎖デオキシリボ核酸分子、一本鎖リボ核酸分子、一本鎖ペプチド核酸（ＰＮＡ）および一本鎖ロックド核酸（ＬＮＡ）からなる群から選択される、請求項１２〜１４のいずれか一項に記載のキット。
【手続補正書】
【提出日】平成27年2月20日(2015.2.20)
【手続補正１】
【補正対象書類名】特許請求の範囲
【補正対象項目名】全文
【補正方法】変更
【補正の内容】
【特許請求の範囲】
【請求項１】
第一の精製マトリクスおよび第二の精製マトリクスを含む好適なマイクロ流体素子を提供する；
以下の段階を含む、第一の精製マトリクスを用いる第一の精製段階を実施する：
溶解した溶液に有機溶媒を添加する；
溶解した溶液に電磁ビーズを添加する；
核酸をビーズに結合する；
核酸結合電磁ビーズを溶液から分離する；
核酸結合電磁ビーズを洗浄液中で洗浄する；
洗浄したビーズを洗浄液から分離する；および
洗浄したビーズから核酸を溶出する；
以下の段階を含む、第二の精製マトリクスを用いる第二の精製段階を実施する：
溶出した核酸の適切な分子電荷を回復する；
溶液から核酸を再捕獲する；
再捕獲した核酸を洗浄液で洗浄する；および
再捕獲した核酸を溶出して精製された核酸を得る、
段階を含む、溶解した液体試料溶液からの、マイクロ流体素子を基礎とした核酸精製方法。
【請求項２】
核酸の適切な分子電荷を回復する段階が、溶出した核酸に好適なバッファーを添加する段階、および溶液に有機溶媒を添加する段階をさらに含む、請求項１に記載の方法。
【請求項３】
少なくともいくつかの試薬をマイクロ流体素子に添加し、精製工程を実施することを更に含む、請求項１に記載の方法。
【請求項４】
自動的に精製工程を実施するために必要な試薬のすべてを含むマイクロ流体素子を提供することをさらに含む、請求項１に記載の方法。
【請求項５】
精製した核酸の評価、分析、および増幅の少なくとも１つをさらに含む、請求項１に記載の方法。
【請求項６】
核酸結合電磁ビーズを洗浄液中で洗浄し、洗浄液から洗浄されたビーズを分離する段階を所望の回数繰り返すことをさらに含む、請求項１に記載の方法。
【請求項７】
洗浄したビーズからの核酸の溶出の段階後に、ＲＮＡｓｅ処理を実施して、ＲＮＡを除去してＤＮＡのみを精製することをさらに含む、請求項１に記載の方法。
【請求項８】
洗浄したビーズからの核酸の溶出の段階後に、ＤＮＡｓｅ処理を実施して、ＤＮＡを除去してＲＮＡのみを精製することをさらに含む、請求項１に記載の方法。
【請求項９】
源の液体試料を得る；
液体試料を溶解し、液体試料溶液を作成する；
第一の精製マトリクスおよび第二の精製マトリクスを含む好適なマイクロ流体素子を提供する；
以下の段階を含む、第一の精製マトリクスを用いる第一の精製段階を実施する：
溶解した溶液に有機溶媒を添加する；
溶解した溶液に電磁ビーズを添加する；
核酸をビーズに結合する；
核酸結合電磁ビーズを溶液から分離する；
核酸結合電磁ビーズを洗浄液中で洗浄する；
洗浄したビーズを洗浄液から分離する；および
洗浄したビーズから核酸を溶出する；
以下の段階を含む、第二の精製マトリクスを用いる第二の精製段階を実施する：
溶出した核酸の適切な分子電荷を回復する；
溶液から核酸を再捕獲する；
再捕獲した核酸を洗浄液で洗浄する；および
再捕獲した核酸を溶出して精製された核酸を得る、
段階を含む、核酸を含む源からの、マイクロ流体素子を基礎とした核酸精製方法。
【請求項１０】
核酸の適切な分子電荷を回復する段階が、溶出した核酸に好適なバッファーを添加する段階、および溶液に有機溶媒を添加する段階をさらに含む、請求項９に記載の方法。
【請求項１１】
少なくともいくつかの試薬をマイクロ流体素子に添加し、精製工程を実施することを更に含む、請求項９に記載の方法。
【請求項１２】
自動的に精製工程を実施するために必要な試薬のすべてを含むマイクロ流体素子を提供することをさらに含む、請求項９に記載の方法。
【請求項１３】
精製した核酸の評価、分析、および増幅の少なくとも１つをさらに含む、請求項９に記載の方法。
【請求項１４】
核酸結合電磁ビーズを洗浄液中で洗浄し、洗浄液から洗浄されたビーズを分離する段階を所望の回数繰り返すことをさらに含む、請求項９に記載の方法。
【請求項１５】
洗浄したビーズからの核酸の溶出の段階後に、ＲＮＡｓｅ処理を実施して、ＲＮＡを除去してＤＮＡのみを精製することをさらに含む、請求項９に記載の方法。
【請求項１６】
洗浄したビーズからの核酸の溶出の段階後に、ＤＮＡｓｅ処理を実施して、ＤＮＡを除去してＲＮＡのみを精製することをさらに含む、請求項９に記載の方法。
【手続補正書】
【提出日】平成27年2月17日(2015.2.17)
【手続補正１】
【補正対象書類名】特許請求の範囲
【補正対象項目名】全文
【補正方法】変更
【補正の内容】
【特許請求の範囲】
【請求項１】
母系染色体と父系染色体との寄与が不均等な核酸試料の１つ以上の画分を用意する工程と、核酸試料の前記１つ以上の画分中の２つ以上の目的配列間の不均衡を検出する工程と、前記検出可能な不均衡に基づき前記核酸試料のハプロタイプを決定する工程とを含む、核酸試料のハプロタイプの決定方法。
【請求項２】
前記核酸試料はゲノムもしくはその断片に由来する、請求項１に記載の方法。
【請求項３】
前記ゲノムは１つ以上の細胞に由来する、請求項２に記載の方法。
【請求項４】
前記母系および父系の染色体は、一塩基多型、コピー数多型、ゲノムの挿入およびゲノムの欠失からなる群から選択される１つ以上の変異型配列を含む、請求項１に記載の方法。
【請求項５】
母系染色体と父系染色体との前記不均等な寄与は、１：１の比以外の染色体の比を含む、請求項１に記載の方法。
【請求項６】
前記ハプロタイプを、蛍光、核酸配列決定法、マイクロアレイ、および、定量的ポリメラーゼ連鎖反応からなる群から選択される方法によって決定する、請求項１に記載の方法。
【請求項７】
ハプロタイプ決定のための画分の調製方法であって、
ａ）前記試料にとって自然な比の母系および父系の染色体成分を含む核酸試料を用意する工程と、
ｂ）複数の画分を作成する工程であって、１つ以上の画分が非対称な比の母系および父系の染色体成分を含み、前記非対称な比が前記個体にとって自然な比とは実質的に異なり、それによりハプロタイプ決定のための画分を調製する工程と、
を含む方法。
【請求項８】
前記作成する工程は、母系および父系の染色体成分を複数の画分中の１つ以上の画分に非対称に分配させる工程を含む、請求項７に記載の方法。
【請求項９】
前記作成する工程は、前記複数の画分のうちの１つ以上の画分中の前記母系もしくは父系の染色体成分の１種以上を示差的に分解することを含む、請求項７に記載の方法。
【請求項１０】
前記作成する工程は、前記複数の画分のうちの１つ以上の画分中の前記母系もしくは父系の染色体成分の１つを示差的に増幅させる、請求項７に記載の方法。
【請求項１１】
前記核酸試料は哺乳類に由来する、請求項７に記載の方法。
【請求項１２】
前記核酸試料は複数の細胞に由来する、請求項７に記載の方法。
【請求項１３】
前記複数の細胞を中期で同期させる、請求項１２に記載の方法。
【請求項１４】
試料中の複数の目的配列のハプロタイプを決定する方法であって、
請求項１３に記載の１つ以上の画分を用意する工程と、
前記１つ以上の画分からライブラリーを作成する工程と、
前記複数の目的配列の検出可能な信号を検出する工程と、
前記検出可能な信号の差に基づいて前記複数の目的配列のハプロタイプを決定する工程と、
を含む方法。
【請求項１５】
前記２つ以上の目的配列は同じ染色体上にある、請求項１４に記載の方法。
【請求項１６】
前記２つ以上の目的配列は、同じ染色体上の２つ以上の異なる遺伝子座に位置している、請求項１４に記載の方法。
【請求項１７】
同じ染色体上の前記２つ以上の異なる遺伝子座は、少なくとも１００００個のヌクレオチドだけ離れている、請求項１５に記載の方法。
【請求項１８】
前記１つ以上の画分は個体生物に由来する、請求項１４に記載の方法。
【請求項１９】
前記１つ以上の画分は哺乳類に由来する、請求項１４に記載の方法。
【請求項２０】
工程ｂ）の前に、母系と父系との染色体の比を測定する工程をさらに含む、請求項１４に記載の方法。
【請求項２１】
前記ハプロタイプを決定する前記工程は、画分の定量的ポリメラーゼ連鎖反応分析および画分のマイクロアレイ分析からなる群から選択される方法を含む、請求項１４に記載の方法。
【請求項２２】
前記ハプロタイプを決定する前記工程は、前記複数の目的配列のそれぞれについて配列読み取り数の差を検出する工程と、同様な配列読み取り数を有する前記目的配列を組み合わせる工程と、前記組み合わせた目的配列に基づいてハプロタイプを決定する工程とを含む、請求項１４に記載の方法。
【請求項２３】
前記検出可能な信号は蛍光である、請求項１４に記載の方法。
【請求項２４】
前記検出可能な信号は蛍光である、請求項２２に記載の方法。
【請求項２５】
前記２つ以上の目的配列は、対立遺伝子、一塩基多型、コピー数多型、ゲノムの挿入およびゲノムの欠失を含む群から選択される、請求項１４に記載の方法。
【請求項２６】
前記検出する工程は、核酸配列決定法、マイクロアレイ、および定量的ポリメラーゼ連鎖反応遺伝子型決定法からなる群から選択される方法を含む、請求項１４に記載の方法。
【請求項２７】
前記配列決定法は、前記複数の目的配列における総読み取り数のうちの前記複数の目的配列の読み取り数の差を検出する、請求項２６に記載の方法。
【請求項２８】
複数の読み取りを検出する工程は、前記複数の目的配列において生成された蛍光信号の数を検出することを含む、請求項２７に記載の方法。
【請求項２９】
複数の遺伝子座における対立遺伝子の相を検出する方法であって、
ａ）核酸分子の非対称な分配を行う工程であって、前記非対称な分配は複数の画分を含み、前記個々の画分は前記対立遺伝子の複数のコピーを含み、かつ前記個々の画分は異なる量の前記対立遺伝子を含むことを特徴とする工程と、
ｂ）１つ以上の個々の画分中に存在する前記核酸分子の前記コピー中の前記対立遺伝子を識別する工程と、
ｃ）前記１つ以上の個々の画分中に存在する前記異なる量の前記対立遺伝子を評価する工程と、
ｄ）前記対立遺伝子を識別する工程および前記異なる量の前記対立遺伝子を評価する工程から、複数の遺伝子座における前記対立遺伝子の相を決定する工程と、
を含む方法。
【請求項３０】
前記評価する工程は、総読み取り数のうちの複数の遺伝子座における前記対立遺伝子の蛍光配列決定読み取り数の差を検出することを含む、請求項２９に記載の方法。
【請求項３１】
前記核酸分子は個体生物に由来する、請求項２９に記載の方法。
【請求項３２】
前記異なる量を評価する工程は、前記複数の遺伝子座における対立遺伝子比を測定することを含む、請求項２９に記載の方法。
【請求項３３】
前記対立遺伝子を識別する工程は、前記複数の遺伝子座に存在する１つ以上のヌクレオチドの同一性を決定することを含む、請求項２９に記載の方法。
【請求項３４】
前記対立遺伝子を識別する工程は、核酸配列決定法およびマイクロアレイからなる群から選択される方法を含む、請求項２９に記載の方法。
【請求項３５】
前記複数の遺伝子座は、同じ染色体上に位置しており、少なくとも１００００個のヌクレオチドだけ離れている、請求項２９に記載の方法。
【請求項３６】
ハプロタイプを決定するための核酸画分であって、前記核酸画分は、非対称に分配された母系および父系の染色体成分を含み、前記非対称に分配された染色体成分は、母系対父系の比が、前記個体の自然な前記比とは異なる非対称な比の染色体成分である核酸画分。
【手続補正書】
【提出日】平成26年12月18日(2014.12.18)
【手続補正１】
【補正対象書類名】明細書
【補正対象項目名】００１８
【補正方法】変更
【補正の内容】
【００１８】
この装置は，増幅器とプロセッサとデータ記憶装置とを更に備えてもよい。このプロセッサは，発振器の周波数出力を変動させるように更に構成されると共に，結果を前記データ記憶装置に保存する。少なくとも１つのコイルが，歯冠又はそれに取り付けられる部材に対して磁気パルスを出力すると共に，前記部材からの前記磁気パルスに対応する応答を検出するように構成されてもよい。
【手続補正２】
【補正対象書類名】明細書
【補正対象項目名】００３３
【補正方法】変更
【補正の内容】
【００３３】
図３を参照すると，システムは，ブリッジ１０に取り付けられる片持ち梁の形態とした部材を含む。部材は磁性部材３１を備える。磁性部材３１は，梁の一方の端部，例えば梁の自由端に設けられること，又は梁の内側に一体化されることができる。
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
ヒートシンクと、
前記ヒートシンクに結合され、励磁器およびバッテリへ電力を送達するように構成された１組のＩＧＢＴと、
単一の温度センサと、
コントローラと、
を備え、
前記１組のＩＧＢＴが、
前記励磁器へ電力を提供するように構成された第１のデュアルＩＧＢＴと、
バッテリへ電力を提供するように構成された第２のデュアルＩＧＢＴと、
前記励磁器および前記バッテリ充電器に共通の第３のデュアルＩＧＢＴと、
を備え、
前記単一の温度センサが、前記ヒートシンク内の前記第２のデュアルＩＧＢＴと前記第３のデュアルＩＧＢＴとの間に配置され、
前記コントローラが、
前記単一の温度センサから温度読取値を受け取り、前記温度読取値に基づいて、前記第２のデュアルＩＧＢＴに対する第１の接合温度と前記第３のデュアルＩＧＢＴに対する第２の接合温度を判定し、
前記第１の接合温度または前記第２の接合温度が所定の閾温度を超えたときに、前記ＩＧＢＴのそれぞれによって提供される出力電力を低下させる、
ように構成される、
電子デバイス。
【請求項２】
前記所定の閾温度が摂氏約１３７度である、請求項１に記載の電子デバイス。
【請求項３】
前記コントローラが、周囲空気の温度を判定し、前記接合温度と前記周囲空気の前記温度の温度差に少なくとも部分的に基づいて、前記出力電力を低下させるように構成される、請求項１に記載の電子デバイス。
【請求項４】
前記コントローラが、前記温度差が摂氏約７６度より大きい場合、前記出力電力を低下させるように構成される、請求項３に記載の電子デバイス。
【請求項５】
前記コントローラが、システムコントローラからＩＧＢＴコマンドを受け取り、前記出力電力を低下させることが、前記システムコントローラからの前記ＩＧＢＴコマンドおよび前記第１または第２の接合温度に少なくとも部分的に基づいて、新しいＩＧＢＴコマンドを生成することを含む、請求項１記載の電子デバイス。
【請求項６】
ヒートシンクと、
前記ヒートシンクに結合され、励磁器およびバッテリへ電力を送達するように構成された１組のＩＧＢＴと、
温度センサと、
コントローラと、
を備え、
前記１組のＩＧＢＴが、
前記励磁器へ電力を提供するように構成された第１のデュアルＩＧＢＴと、
バッテリへ電力を提供するように構成された第２のデュアルＩＧＢＴと、
前記励磁器および前記バッテリ充電器に共通の第３のデュアルＩＧＢＴと、
を備え、
前記単一の温度センサが、前記ヒートシンク内の前記第２のデュアルＩＧＢＴと前記第３のデュアルＩＧＢＴとの間に配置され、
前記コントローラが、
前記単一の温度センサから温度読取値を受け取り、前記温度読取値に基づいて、前記第２のデュアルＩＧＢＴに対する第１の接合温度と前記第３のデュアルＩＧＢＴに対する第２の接合温度を判定し、
前記第１の接合温度または前記第２の接合温度が所定の閾温度を超えたときに、前記ＩＧＢＴのそれぞれによって提供される出力電力を低下させる、
ように構成される、
車両用の電力システム。
【請求項７】
前記所定の閾温度が摂氏約１３７度である、請求項６に記載の電力システム。
【請求項８】
前記コントローラが、周囲空気の温度を判定し、前記接合温度と前記周囲空気の前記温度の温度差に少なくとも部分的に基づいて、前記出力電力を低下させるように構成される、請求項６に記載の電力システム。
【請求項９】
前記コントローラが、前記温度差が摂氏約７６度より大きい場合、前記出力電力を低下させるように構成される、請求項８に記載の電力システム。
【請求項１０】
前記コントローラが、システムコントローラからＩＧＢＴコマンドを受け取り、前記出力電力を低下させることが、前記システムコントローラからの前記ＩＧＢＴコマンドおよび前記第１の接合温度に少なくとも部分的に基づいて、新しいＩＧＢＴコマンドを生成することを含む、請求項６に記載の電力システム。
【請求項１１】
第１のデュアルＩＧＢＴ、第２のデュアルＩＧＢＴおよび第３のデュアルＩＧＢＴを備える電子デバイス内の熱サイクルを低減させる方法であって、
ヒートシンク内の前記第２のデュアルＩＧＢＴと前記第３のデュアルＩＧＢＴとの間に配置された単一の温度センサから温度読取値を受け取るステップと、
前記温度読取値に基づいて、少なくとも前記第２のデュアルＩＧＢＴおよび前記第３のデュアルＩＧＢＴの接合温度を判定するステップと、
前記第２のデュアルＩＧＢＴまたは前記第３のデュアルＩＧＢＴの接合温度が所定の閾温度を超えたときに、前記ＩＧＢＴのそれぞれによって提供される出力電力を低下させるステップと、
を含み、
前記第１のデュアルＩＧＢＴは、前記励磁器へ電力を提供するように構成され、
前記第２のデュアルＩＧＢＴは、バッテリへ電力を提供するように構成され、
前記第３のデュアルＩＧＢＴは、前記励磁器および前記バッテリ充電器に共通する、
方法。
【請求項１２】
周囲空気の温度を判定するステップと、前記接合温度と前記周囲空気の前記温度の温度差に少なくとも部分的に基づいて、前記出力電力を低下させるステップとを含む、請求項１１に記載の方法。
【請求項１３】
システムコントローラからＩＧＢＴコマンドを受け取るステップを含み、前記出力電力を低下させるステップが、前記システムコントローラからの前記ＩＧＢＴコマンドおよび前記接合温度に少なくとも部分的に基づいて、新しいＩＧＢＴコマンドを生成するステップを含む、請求項１１に記載の方法。